(57)【特許請求の範囲】
【請求項１】
可動家具部分（２）を移動させるための構造体（１）であって、
前記可動家具部分（２）を閉位置から第１の開位置へと排出させるための少なくとも一つの排出装置（３）を含んでおり、
該少なくとも一つの排出装置（３）は、少なくとも一つの作用力保存手段（４）を含んでおり、
前記可動家具部分（２）の閉動作によって前記少なくとも一つの作用力保存手段（４）に荷重をかけるための少なくとも一つの荷重装置（５）をさらに含んでおり、
前記少なくとも一つの作用力保存手段（４）への荷重は、終点（ｘｆ）を備えた荷重距離（Δｘ）にわたってかけられ、
前記少なくとも一つの作用力保存手段（４）は、前記荷重距離（Δｘ）の終点（ｘｆ）にて最大限に荷重され、
前記荷重距離（Δｘ）は可変始点（ｘi）を有しており、前記荷重距離（Δｘ）の始点（ｘi）は、閉動作の開始時における前記可動家具部分（２）の位置における、前記第１の開位置よりも開いた第２の開位置からの前記可動家具部分（２）の閉動作の開始時における位置によって規定されることを特徴とする構造体（１）。
【請求項２】
前記荷重距離（Δｘ）の前記始点（ｘi）は、閉動作の開始時における前記可動家具部分（２）の位置により、前記可動家具部分（２）および/または家具枠体（６）に対して異なる旋回位置で係止できる少なくとも一本の旋回可能に取り付けられた制御レール（１０）によって規定されることを特徴とする請求項１記載の構造体（１）。
【請求項３】
前記荷重距離（Δｘ）の前記終点（ｘｆ）は、前記可動家具部分（２）の延出移動に関係なく、前記家具枠体（６）に対して固定された位置にあることを特徴とする請求項２記載の構造体（１）。
【請求項４】
前記荷重距離（Δｘ）の前記終点（ｘｆ）は、閉動作において前記閉位置の手前で達するように設計されていることを特徴とする請求項１から３のいずれかに記載の構造体（１）。
【請求項５】
前記荷重距離（Δｘ）の前記終点（ｘｆ）は、閉動作において前記閉位置の３ｃｍから１０ｃｍ手前で達するように設計されていることを特徴とする請求項１から３のいずれかに記載の構造体（１）。
【請求項６】
前記少なくとも一つの作用力保存手段（４）は、バネ（２７）を含んでいることを特徴とする請求項１から５のいずれかに記載の構造体（１）。
【請求項７】
前記少なくとも一つの作用力保存手段（４）は、レッグスプリングであるバネ（２７）を含んでいることを特徴とする請求項１から５のいずれかに記載の構造体（１）。
【請求項８】
前記可動家具部分（２）は、家具枠体（６）に、または家具枠体（６）内に配置されており、前記少なくとも一つの排出装置（３）は、前記家具枠体（６）に接続されていることを特徴とする請求項１から７のいずれかに記載の構造体（１）。
【請求項９】
前記少なくとも一つの排出装置（３）は、少なくとも一つの同伴部材（７）を有することを特徴とする請求項１から８のいずれかに記載の構造体（１）。
【請求項１０】
前記少なくとも一つの排出装置（３）は、少なくとも一つのピン形状の同伴部材（７）を有することを特徴とする請求項１から８のいずれかに記載の構造体（１）。
【請求項１１】
本構造体（１）は、前記少なくとも一つの排出装置（３）の前記少なくとも一つの同伴部材（７）を支持するための少なくとも一つの支持装置（８）を含んでいることを特徴とする請求項１から１０のいずれかに記載の構造体（１）。
【請求項１２】
本構造体（１）は、前記少なくとも一つの排出装置（３）の前記少なくとも一つの同伴部材（７）を支持するための少なくとも一つの支持装置（８）を含んでおり、
前記少なくとも一つの支持装置（８）は、前記可動家具部分（２）に配置されていることを特徴とする請求項１から１０のいずれかに記載の構造体（１）。
【請求項１３】
前記少なくとも一つの支持装置（８）は、少なくとも部分的に湾曲した少なくとも一つの制御輪郭部（９）を含んでいることを特徴とする請求項１１又は１２記載の構造体（１）。
【請求項１４】
前記少なくとも一つの荷重装置（５）は少なくとも一本の制御レール（１０）を含んでおり、該少なくとも一本の制御レール（１０）は、前記少なくとも一つの排出装置（３）の前記少なくとも一つの同伴部材（７）に、前記可動家具部分（２）の開動作および/または閉動作中に少なくとも部分的に連結されることを特徴とする請求項１から１３のいずれかに記載の構造体（１）。
【請求項１５】
前記可動家具部分（２）は家具枠体（６）に、または家具枠体（６）内に配置されており、前記少なくとも一本の制御レール（１０）の位置は、前記可動家具部分（２）および/または前記家具枠体（６）に対して可変であることを特徴とする請求項１から１４のいずれかに記載の構造体（１）。
【請求項１６】
前記少なくとも一つの作用力保存手段（４）に荷重をかけるために適用される作用力は、前記可動家具部分（２）および/または前記家具枠体（６）に対する前記少なくとも一本の制御レール（１０）の位置の変化によって調節可能であることを特徴とする請求項１から１５のいずれかに記載の構造体（１）。
【請求項１７】
前記少なくとも一つの荷重装置（５）は、閉動作の開始時における前記可動家具部分（２）および/または前記家具枠体（６）に対する前記少なくとも一本の制御レール（１０）の位置を確定するための少なくとも一つのラッチ機構（１１）を含んでいることを特徴とする請求項２、８、及び１５のいずれかに記載の構造体（１）。
【請求項１８】
本構造体（１）は、前記少なくとも一つの排出装置（３）をロック及びロック解除するための少なくとも一つのロック及びロック解除装置（１２）を含んでいることを特徴とする請求項１から１７のいずれかに記載の構造体（１）。
【請求項１９】
前記少なくとも一つのロック及びロック解除装置（１２）は、前記少なくとも一つの荷重装置（５）に配置されていることを特徴とする請求項１８記載の構造体（１）。
【請求項２０】
前記少なくとも一つのロック及びロック解除装置（１２）は、カージオイド形状のラッチ端部、またはロック及びロック解除経路を有することを特徴とする請求項１８または１９記載の構造体（１）。
【請求項２１】
前記少なくとも一つの排出装置（３）は、少なくとも一つの同伴部材（７）を有しており、前記少なくとも一つの排出装置（３）の前記少なくとも一つの同伴部材（７）は、少なくとも閉位置にて、少なくとも部分的に、前記ラッチ端部、または前記ロック及びロック解除経路に接していることを特徴とする請求項２０記載の構造体（１）。
【請求項２２】
前記少なくとも一つの排出装置（３）は、少なくとも一つのピン形状の同伴部材（７）を有しており、前記少なくとも一つの排出装置（３）の前記少なくとも一つの同伴部材（７）は、少なくとも閉位置にて、少なくとも部分的に、前記ラッチ端部、または前記ロック及びロック解除経路に接していることを特徴とする請求項２０記載の構造体（１）。
【請求項２３】
前記少なくとも一つの排出装置（３）は、前記可動家具部分（２）を前記閉位置に引き込むための引き込み装置として機能することを特徴とする請求項１から２２のいずれかに記載の構造体（１）。
【請求項２４】
本構造体（１）は、前記引き込み装置（３）の引き込み動作を制動するための少なくとも一つの制動装置（１３）を含んでいることを特徴とする請求項２３記載の構造体（１）。
【請求項２５】
前記可動家具部分（２）は、引出しであることを特徴とする請求項１から２４のいずれかに記載の構造体（１）。
【発明の詳細な説明】
【技術分野】
【０００１】
本発明は、特に引出しである可動家具部分のための構造体に関する。この構造体は、家具部分を閉位置から第１の開位置へと排出させるための少なくとも一つの排出装置を含んでおり、その少なくとも一つの排出装置は、少なくとも一つの作用力保存手段と、家具部分の閉動作によってその少なくとも一つの作用力保存手段に荷重をかけるための少なくとも一つの荷重装置とを含んでおり、その少なくとも一つの作用力保存手段は、終点を備えた荷重距離にわたって実行され、その少なくとも一つの作用力保存手段は、荷重距離の終点にて完全に荷重される。
【背景技術】
【０００２】
可動家具部分を移動させるためのこの種の構造は、既に従来技術の一部であり、ＤＥ１９８２３３０５Ａ１などで解説されている。知られた構造では、荷重距離の終点および始点は固定されている。これは、可動家具部分が家具枠体内または家具枠体上に配置されているとき、荷重距離の終点または始点は、家具枠体に対して固定された位置にあることを意味する。この構成の欠点は、可動家具部分が荷重距離の少なくとも始点まで開けられなければならず、この場合には、家具部分の閉動作によって作用力保存手段が完全に荷重されるよう、始点は家具部分の完全開位置にも対応することがある。そうでなければ、排出装置は制限的にのみ操作可能である。
【発明の概要】
【発明が解決しようとする課題】
【０００３】
本発明の目的は、前述の欠点を回避し、従来技術に勝る改良された可動家具部分を移動させるための構造体の提供である。
【課題を解決するための手段】
【０００４】
この目的を達成するため、本発明では、荷重距離は可変始点を有しており、荷重距離の始点は、閉動作の開始時における家具部分の位置の分だけ、第１の開位置よりも大きな第２の開位置からの家具部分の閉動作において確定される。
【０００５】
荷重距離の始点のこの可変性は、作用力保存手段が、家具部分の（荷重距離の終点または第１の開位置を越えた）開き具合に拘わらず常に完全に確実に荷重されているという点で有利である。荷重距離の終点の場合には、（可動家具部分の延出移動とは無関係に）これは家具枠体に対して固定された位置に配置されており、このことはこの構造体が、その少なくとも１つの作用力保存手段を荷重させるための作用力が始点によって設定されるように設計されていることを意味している。可動家具部分がほとんど開いていない場合、短い荷重距離が関与し、閉動作において作用力保存手段を完全に荷重するためには相対的に大きな作用力が適用されなければならない。対照的に、家具部分が例えば完全に開いているときには、作用力保存手段を完全に荷重するために、比較的に長い荷重距離が利用でき、大きく減少した作用力が適用されなければならない。
【０００６】
本発明の有利な実施態様では、その少なくとも一つの作用力保存手段は、好適にはレッグスプリングであるバネを含んでいる。この場合には、荷重距離が可変始点を有しているという事実と、荷重距離の始点は、閉動作の開始時における家具部分の位置によって設定されるということは、荷重距離のそれぞれの始点に応じて、バネの特性の勾配が適用される（長い荷重距離には緩勾配のバネ特性が関与し、短い荷重距離には急勾配のバネ特性が関与している）ことを意味する。
【０００７】
請求項に定義されている本発明のさらなる詳細と利点は、図面との関連で以降に記載された特定の解説においてさらに詳説される。
【図面の簡単な説明】
【０００８】
【図１】家具枠体内または家具枠体上に配置された引出しの形態の３つの可動家具部分の概略斜視図である。
【図２ａ】家具枠体の一部と共に、引出しの形態の可動家具部分の概略斜視図であって、上方からの傾斜図である。
【図２ｂ】家具枠体の一部と共に、引出しの形態の可動家具部分の概略斜視図であって、下方からの傾斜図である。
【図３】家具枠体の一部と引出しとを含んだ、図２ａおよび図２ｂに示す組合せを下方から見た概略図であり、その底部には、本発明の好適実施態様の構造体が配置されており、引出しは閉位置にある。
【図４】引出しのロック解除過程を示している。
【図５】引出しの排出過程を示している。
【図６】荷重装置のラッチ機構の作動モードを解説するために、本発明による好適実施例の一部を示している。
【図７】排出過程後の、引出しが完全に開けられる引出しの終点（図１０）に到達するまでの複数の位置（図７から図９）における、引出しの手動での開動作を示している。
【図８】排出過程後の、引出しが完全に開けられる引出しの終点（図１０）に到達するまでの複数の位置（図７から図９）における、引出しの手動での開動作を示している。
【図９】排出過程後の、引出しが完全に開けられる引出しの終点（図１０）に到達するまでの複数の位置（図７から図９）における、引出しの手動での開動作を示している。
【図１０】排出過程後の、引出しが完全に開けられる引出しの終点（図１０）に到達するまでの複数の位置（図７から図９）における、引出しの手動での開動作を示している。
【図１１】図１０に示す終点から図１３に示す閉位置までの引出しの閉過程を示している。
【図１２】図１０に示す終点から図１３に示す閉位置までの引出しの閉過程を示している。
【図１３】図１０に示す終点から図１３に示す閉位置までの引出しの閉過程を示している。
【図１４】完全に開けられていない中央位置からの引出しの閉過程を示している。
【図１５】完全に開けられていない中央位置からの引出しの閉過程を示している。
【発明を実施するための形態】
【０００９】
図３に示すように、図４から図１５では同じモードの動作過程（概略的および下方からの斜視図）が採用されている。
【００１０】
図１は、家具枠体６と、家具枠体６内または上に可動に取り付けられた引出しの形態の３つの家具部分２とを含んだ引出しキャビネットの概略的斜視図である。引出し２はそれぞれ、引出し底部１７、２枚の側部フレーム部材１５、後壁１６および前方パネル１４で構成されている。
【００１１】
図２ａは、引出し２と共に家具枠体６の一部を示している。引出し２上に横方向に配置された２つの延出ガイド１８によって、家具枠体６に接続された引出し２が示されている（この図では、２つの延出ガイド１８の一方のみが示されている）。図示の形態では、延出ガイド１８は、家具枠体６に固定された枠体レール、引出し２に固定された引出しレール、および引出しレールと枠体レールとの間で可動に取り付けられた中央レールの３つの部分を含んでいる。いわゆる引出しの完全延出は、この３部分形態の延出ガイドによって実行できる。しかしながら、従来技術の一部であるその他の延出ガイドも、本発明の概念から除外されない。
【００１２】
図２ｂは、図２ａに示す、家具枠体６の一部と引出し２とを含んだ組合せの下方からの傾斜図である。この図では、引出し２を移動させるための構造体１（好適実施例）の一部は、引出し底部１７の下側に配置されており、構造体１の別な部分は、２つの延出ガイド１８の枠体レールに配置されている。この実施例では、構造体１は、互いにほぼ鏡像の対称関係にある２つの半分体を含んでいることがさらに示されている。概念的な鏡像軸は、破線で示されている。２つの半分体のそれぞれは、閉位置から開位置へ引出し２を排出させるための排出装置３を含んでおり、この排出装置３は同時に閉位置へと引出し２を引き込むための引き込み装置としても機能する。さらにこの構造体は、引き込み装置３の引き込み動作を制動するための制動装置１３も含んでいる。この制動装置１３と引き込み装置３は、有角プレート２０（この有角プレート２０は左側では省略されている）によって延出ガイド１８の枠体レールに接続されている。これは、構造体１のこれらの部分は家具枠体６に固定式に接続されており、引出し２の移動によって、家具枠体６に対するそれらの位置は変化しないことを意味する。（この好適実施例での）構造体１のその他の部材は、引出し底部１７の下側に配置されており、よって引出し２の移動によって、家具枠体６に対するそれらの位置は変化する。
【００１３】
個々の部材と構造体１の操作モードについては、図３から図１５との関連で以降にてさらに詳説する。それぞれは図２ａと図２ｂに示すユニットの平面図であり、家具枠体６の一部と引出し２とを含んだものを下方から見た図であり、実際には存在する２つの有角プレート２０は、構造体１の重要な部材であり、破線で示すように、その他の部材に覆われているために実際には見えないであろう構造体１の操作モードの理解のために省略されている。
【００１４】
図３は、引出し２の閉位置を示している。先ず排出装置３であるが、左側の延出ガイド１８に配置された排出装置３は拡大して示されている。この拡大図には、排出装置３が、回転軸３１周囲で回転可能に取り付けられた作用力保存手段４がその上に配置された取付プレート３０を含んでいる状態が示されており、作用力保存手段４の回転動作は、取付プレート３０のガイド経路２８に突き出るピン２９の作用力保存手段上の構造によって制限されており、ピン２９はガイド経路２８内のみを移動できる。作用力保存手段４は、ガイド経路１８の形態のため、約９０°の回転動作のみ実行できる。
【００１５】
作用力保存手段４は、バネ１７、さらに詳細にはレッグスプリング（バネ状の脚部）を含んでおり、それに作用力保存手段４の実際のエネルギーが保存される。作用力保存手段４のピン２９がガイド経路２８の左側上方迫部にあるとき、作用力保存手段４は完全に荷重されている。右側下方迫部点にあるとき、それは完全に脱荷重されている。
【００１６】
さらに、作用力保存手段４には、構造体１の操作モードに必須であるピン形状の同伴部材７が配置されており、図示の閉位置では、それは排出装置３を部分的荷重状態にて確実にロックさせ（ピン２９は中央位置に配置されており、レッグスプリング２７は部分的に押圧されている）、作用力保存手段４は脱荷重されることができない。これは、まだ解説していない荷重装置５に、ラッチ端部の形態のロック装置１２が配置されており、それは、同伴部材７が引出し２の閉位置でラッチ端部に接するとき、作用力保存手段４の同伴部材７が脱荷重位置の方向に移動できないようにしている。この状況は、右側延出ガイド１８に配置された排出装置３の拡大図に示された部分である程度さらに詳細に示されている。ラッチ端部の代わりに、例えば少なくとも部分的にカージオイド形態のロックおよびロック解除経路のような当業者に知られたその他の構造も当然ながら使用できる。
【００１７】
図４は、ロック解除作用によっていかに排出装置３が無効化されるかを示している。したがって、ロック装置１２は同時にロック解除装置としても作用する。ロック解除は、家具枠体６の後壁の方向にユーザによって押し込まれる引出し２によって実行される。この結果、引出し底部１７に配置された支持装置８の先端が同伴部材７と遭遇し、よって同伴部材７がラッチ端部１２に対して押圧される。ラッチ端部１２は荷重装置５が含む制御レール１０の端部に配置されており、制御レール１０は回転軸２６周囲で回転可能に取り付けられているため、制御レール１０の位置は引出し２に対してまたは家具枠体６に対してそれぞれ変化できる。制御レール１０はバネ２４によってバネ荷重されている。閉位置では、制御レール１０と係合するバネ２４と、バネが同伴部材７に作用している作用力保存手段４のレッグスプリング２７との間に作用力の均衡状態が存在する。しかしながら、ロック解除によって作用力均衡が影響を受け、同伴部材７はラッチ端部１２に対して押圧される。この結果、ラッチ端部１２とそれに伴う制御レール１０は側部側にいくらか旋回する。さらに詳細には同伴部材７がラッチ端部１２の突出部を越えて通過し、下方に滑ることができる程度にまで旋回する。このようにして、同伴部材７は制御レール１０から外れる。
【００１８】
図５は、排出装置３によって実行されるロック解除操作に引き続く排出過程を示している。ロック解除後、同伴部材７が、部分的に湾曲しており、支持装置８に配置された制御輪郭部９に遭遇し、作用力保存手段４のレッグスプリング２４が押圧の解除を求めるときにそれに沿ってスライドする。この場合に解放されるエネルギーは支持装置８に伝達され、よって引出し２に伝達され、閉位置から第１の開位置への引出し２の排出動作となる。２つの排出装置３によって伝達されるエネルギーは、引出し２を数センチ（引出しのそれぞれの荷重状況による）排出させるのに十分であり、あるいは常にユーザが引出し２の前方パネルの下側に係合でき、よって引出し２を手動で開けることができる程度にまで排出させる。したがって、そのような排出装置の重要な役割は、引出しを開けさせるために、ハンドルが装着されていない前方で、引出しを利用させることである。
【００１９】
図４と図５とを較べると、引出し２の排出動作において、荷重装置５の２本の制御レール１０が引出し中央側に移動しており、迫部輪郭部３１と３２に接していることが分かる。２本の制御レール１０間に配置されたバネ２４は、この排出動作で弛緩している。
【００２０】
制御レール１０の上方端をさらに注意して見ると、引出しの後壁の方向にそれぞれ突き出る小型の先端部が存在することが分かる。図４に示す位置から図５に示す位置への２本の制御レール１０の動作はこれらの先端部によって妨害されるように見える。しかしながら、引出し後壁の領域の拡大図の一部を示す図６を考慮すると、２つの先端部は二重アーム型傾斜レバー２２のそれぞれのアームであり、レバー２２の他方のアームはバネ２３によってそれぞれバネ荷重されていることが分かる。２本の制御レール１０が引出し中央の方向に移動すると、レバー２２の自由アームが部分的に階段形態のラッチ輪郭部２１の縁部に接し、レバー２２が側部に傾斜し、制御レール１０の移動のための領域を提供する。図５に示す位置に到達すると、傾斜レバー２２はもはやラッチ輪郭部２１には接しておらず、必然的に押圧されていたバネ２３は押圧から再び解放され、傾斜レバー２２はバネ作用力下でそれらの当初位置へと戻る。
【００２１】
図７から図１０は、ユーザによる引出し２のさらなる手動による開過程を示している。この開過程では、作用力保存手段４の２つのレッグスプリングではなく、バネ２４のみが荷重されるので、非常に小さい摩擦力のみが発生する。図５と図７の比較から明らかなように、作用力保存手段４の同伴部材７は、ガイド経路へと先ず移動し、制御レール１０のこの位置では制御レール１０内で引出し側壁に平行に配向されており（図５にて矢印にて示す）、よってこれらは制御レール１０と再び連結関係となり、この場合には回転軸２６周囲で回転可能に取り付けられた単アーム型旋回レバー２５をそれぞれ側部方向に押圧する。この状態は、図７の右側制御レール１０の拡大部分でも示されている。
【００２２】
図８では、引出し２は、同伴部材７が旋回レバー２５を越えてそれぞれ移動して、制御レール１０のガイド経路の第２の部分に配置されるまで開かれる。２つの旋回レバー２５は小型のバネ（図示せず）によってそれぞれバネ荷重されており、よって、同伴部材７が最初に移動した、ガイド経路の第１の部分付近を旋回レバー２５の上方領域が閉じる位置に保持されている。小型のバネを見ることはできないが、それらの間でバネが作動可能であり、旋回点２６の上方に配置された２つのバネ係合点が図示されている。
【００２３】
図９は、引出し２がさらにある程度開けられた引出し２の位置を示している。排出装置３は延出ガイド８の枠体レールにそれぞれ接続されており、作用力保存手段４を荷重するための作用力は、２枚の引出し側壁の方向に２本の制御レール１０を旋回させるために適用されなければならない作用力よりも大きいので、同伴部材７はそれらの位置を保ち、制御レール１０を外側に、すなわち引出し側壁の方向に旋回させる。制御レール１０の端部に配置された２本の傾斜レバー２２（図６参照）は、この場合には前述の動作とは異なり、回転の反対方向に傾斜し、よって、それらの自由アームはラッチ輪郭部２１を段階的に“ホップ”する。
【００２４】
図１０は、引出し２が完全に開いた状態の引出し２の端位置を示している。この位置で、２つの同伴部材７は、２本の制御レール１０のガイド経路の第２の部分からある程度外れて移動している。２本の制御レール１０の端部に配置された２本の小型傾斜レバー２２は、ラッチ輪郭部２１の最後の段にそれらの自由アームをそれぞれ配置している。
【００２５】
図１１から図１３は、図１０に示す端位置から引出し２が閉じる過程を示しており、この端位置は請求項１で使用されている意味では、第１の開位置よりも大きい可能な第２の開位置である。“第１の開位置よりも大きい”とは、引出しがさらに延出されていることを意味する。その端位置からの閉動作の当初には、２つの同伴部材７は先ず制御レール１０の２本のガイド経路へと再び戻る。これは、少々じょうご形状のガイド経路の上方の第２の部分によって行なわれる。その後、２つの同伴部材２は制御レール１０のガイド経路の引出し中央側である縁部に到達する。よって、制御レール１０は引出し中央の方向に再び移動できると考えられるかもしれない。しかしながら、２本の傾斜レバー２２（図６参照）の自由アームがラッチ輪郭部２１の最後の段にまだ接しており、引出し中央の方向ではなく、引出し側壁の方向の制御レール１０の旋回動作によってのみその位置から移動することができるので不可能である。したがって、この状態での２本の傾斜レバー２２の一方とラッチ輪郭部２１の（半分）の組合せは、２本の制御レール１０のためのラッチ機構１１をそれぞれ提供している。これらのラッチ機構によって、引出し２との関連および当然ながら閉動作の当初における本体枠体６並びにそれと共にその上に作用力保存手段４の荷重が発生する荷重距離Δｘの始点ｘiとの関係で２本の制御レール１０の位置が確定される。制御レール１０はそれらの位置に固定されている事実によって、同伴部材７と作用力保存手段４は引出し側壁の方向でレッグスプリングのバネ作用力に対して反対方向にずれることを余儀なくされる。このようにして、引出し２の並進動作のエネルギーの一部が作用力保存手段４に伝達される。
【００２６】
引出し２の開閉動作間の別な違いは、それぞれの同伴部材７が制御レール１０のガイド経路の第１の部分に戻ることができないように、これらの旋回レバー２５は、前述の２つの小型バネによって、実際には引出し中央の方向に、よって制御レール１０の縁部３２に対抗して引っ張られるので、同伴部材７が引出し側壁側に、２本の旋回レバー２５の側に沿って移動することである。この状況は、図１１の拡大部分に参考として示されている。そこで２つの作用力保存手段４が完全に荷重される荷重距離Δｘの終点ｘｆは、同伴部材７が２本の旋回レバー２５（図１０参照）の旋回点２６に到達した場所で到達される。すなわち荷重距離Δｘの終点ｘｆ（引出し２の延出移動に関係なく）は、家具枠体６に対して固定された位置にある。荷重距離Δｘの終点ｘｆでは、２つの作用力保存手段４のレッグスプリングは最大限に押圧される。閉位置に到達されるどころか約１０ｃｍ手前の終点ｘｆにまで到達すると、ユーザは引出し２を積極的に移動させなければならない。終点ｘｆを越えるとすぐ、２つの作用力保存手段４の応力は（閉位置に到達するまで）ある程度解放される。引出し２は、解放されたエネルギーによって自動的に閉位置に引き込まれる。したがって、排出装置３は同時に引き込み装置として機能する。これとの関連で重要なことは、ここで解説する好適実施例の構造体１は、引き込み装置３の引き込み動作を制動するためにそれぞれ制動装置１３を含んでいることである。さらに詳細には、これにはピストンとシリンダのユニットを有するリニア制動装置の形態である流体制動装置が関与し、制動装置１３は延出ガイド１８の枠体レールと家具枠体６それぞれに接続されており、制動装置１３のピストンは引出しレールに横方向に配置された突起部１９に接しており、このようにして引き込み動作を制動する。当然ながら、従来技術で知られた別の種類の制動装置（例えば回転式制動装置）も、本発明の概念から除外されない。図１３は、図３との関連で既に説明した引出し２の閉位置を示している。
【００２７】
図１４と図１５は、引出し２の中央位置、すなわち不完全開状態からの閉動作を示しており、この中央位置は、第１の開位置よりも大きい、請求項１で使用される意味での引出しの可能な第２の開位置でもある。この開過程の間、制御レール１０の上端にそれぞれ配置されている２本の小型傾斜レバー２２（図５参照）の自由アームは、ラッチ輪郭部２１の段部で累進的にラッチ留めされる。図１４は、２本の傾斜レバー２２の自由アームがラッチ輪郭部２１の第３の段部にある引出し２の中央位置を示している。ユーザが引出し２を閉じようとするとき、２本の制御レール１０はこれら２つの位置でラッチ留めされ、よって荷重距離Δｘの始点ｘiを確定する。図１４を図１０と比較すると、荷重距離Δｘはまず非常に短く、また引出し側壁に対する制御レール１０の傾斜角度はさらに大きいことが分かる。作用力保存手段４を完全に荷重するための同じエネルギーを短い移動距離でも伝達しなければならない。すなわち、引出し２を閉じるため、すなわち作用力保存手段４を荷重するためにはユーザによってさらに強力な作用力が適用されなければならない。したがって一般化として説明すると、作用力保存手段４を荷重するために適用される作用力は、引出し２または家具枠体６それぞれに対する制御レール１０の位置の変化によって調節可能である。
【００２８】
図１５は、作用力保存手段４の同伴部材７によって、荷重距離Δｘの終点が越えられ、作用力保存手段４の部分的な脱荷重が始まり、よって引出し２が引き続き自動的に引き込まれる引出し２の位置を再び示している。
【図１】
0006050377.tif 000002
【図２ａ】
0006050377.tif 000003
【図２ｂ】
0006050377.tif 000004
【図３】
0006050377.tif 000005
【図４】
0006050377.tif 000006
【図５】
0006050377.tif 000007
【図６】
0006050377.tif 000008
【図７】
0006050377.tif 000009
【図８】
0006050377.tif 000010
【図９】
0006050377.tif 000011
【図１０】
0006050377.tif 000012
【図１１】
0006050377.tif 000013
【図１２】
0006050377.tif 000014
【図１３】
0006050377.tif 000015
【図１４】
0006050377.tif 000016
【図１５】
0006050377.tif 000017